(57)【要約】  本発明は、入れ子式離隔梁(2)によってある水平距離だけ離隔した２つの側枠体(1)を含むスプーリング装置に関するものであり、各枠体(1)は、ケーブル管またはホース用の巻胴を支持する支持体上に軸棒を有し、入れ子式離隔梁(2)は、少なくとも１つの外側管(3)および少なくとも１つの内側管(4)を含み、両管は、互いに入れ子式で摺動可能になっている。スプーリング装置はさらに、外側管(3)と内側管(4)の間に位置して外側管および内側管を可調節位置にロックするロック装置を含む。ロック装置は、内側管全長の一部にわたって延伸し内側管を各管区分(7、8)に分割する内側管(4)の分割部(6)と、内側管の分割部(6)に拡張力を生成して各管区分(7、8)を外側管(3)の内表面へ押圧する力部材(9)とを含む。【選択図】図３
2014531375.tif 000002
【特許請求の範囲】
【請求項１】
入れ子式離隔梁(2)によってある水平距離だけ離隔した２つの側枠体(1)を含み、各枠体(1)は、ケーブル管またはホース用の巻胴を支持する支持体上に軸棒を有し、前記入れ子式離隔梁(2)は、少なくとも１つの外側管(3)および少なくとも１つの内側管(4)を含み、該内外側両管は互いに入れ子式で摺動可能になっていて、さらに、前記外側管(3)と前記内側管(4)の間に位置して該外側管および内側管を可調節位置にロックするロック装置を含むスプーリング装置において、該ロック装置は、前記内側管の全長の一部にわたって延伸し該内側管を管区分(7、8)に分割する前記内側管(4)の分割部(6)と、該内側管の分割部(6)に拡張力を生成して前記管区分(7、8)を前記外側管(3)の内表面に押圧する力部材(9)とを含むことを特徴とするスプーリング装置。
【請求項２】
請求項１に記載のスプーリング装置において、前記外側管(3)および内側管(4)は角型管であることを特徴とするスプーリング装置。
【請求項３】
請求項１または２に記載のスプーリング装置において、前記内側管(3)は、垂直軸方向において２つの管区分に分割(6)されていることを特徴とするスプーリング装置。
【請求項４】
請求項１ないし３のいずれかに記載のスプーリング装置において、前記力部材(9)は、拡張可能なバッグ部材、油圧もしくは電動シリンダ、または楔機構を含むことを特徴とするスプーリング装置。
【請求項５】
請求項１ないし４のいずれかに記載のスプーリング装置において、該プーリング装置は、前記内側および外側管を横方向に案内する案内ロール(11)を特徴とするスプーリング装置。
【請求項６】
請求項１ないし５のいずれかに記載のスプーリング装置において、該スプーリング装置は、前記外側管の内側にあって前記内側管を該外側管において垂直方向に案内する平たいバー(10)を特徴とするスプーリング装置。
【請求項７】
請求項１ないし６のいずれかに記載のスプーリング装置において、該スプーリング装置には、前記内側管(4)の少なくとも一部にわたって延伸するバー(12)があり、該バーは、前記外側管(3)の内側隅に係合していることを特徴とするスプーリング装置。
【請求項８】
請求項７に記載のスプーリング装置において、前記バー(12)は半角型バーであることを特徴とするスプーリング装置。
【発明の詳細な説明】
【詳細な説明】
【０００１】
本発明は、入れ子式離隔梁によってある水平距離だけ離隔した２つの側枠体を含むスプーリング装置に関するものであり、各枠体は、ケーブル管またはホース用の巻胴を支持する支持体上に軸棒を有し、入れ子式離隔梁は、少なくとも１つの外側管および少なくとも１つの内側管を含み、これらは、互いに入れ子式で摺動可能になっていて、外側管と内側管の間にはロック装置が配置されて可調節位置に外側管および内側管をロックする。
【０００２】
上述のように本発明は、例えば電線および電気ケーブルの製造、すなわちさまざまなケーブル製造業の分野で広く使用されている床置きリール装置、すなわち繰出し装置または巻取り装置に関するものである。
【０００３】
リール装置またはスプーリング装置は典型的には、入れ子式離隔梁によってある水平距離だけ離隔した２つの側枠体からなる。各枠体は、垂直方向に可動な支持体上に軸棒を有している。支持体は巻胴を支持・支承し、これにケーブル、管またはホースを繰り出したり巻き取ったりする。
【０００４】
床にリールを固定し、またはリールを外すには、軸棒に対する側枠体部の距離を変える必要があり、したがって調節可能な離隔機構が必要である。さまざまな巻胴幅に対応するには、幅の調節も必要である。リールの正確で安全かつ信頼性のある巻取りおよび巻戻しを確保するには、離隔機構は、バックラッシュのない動作をしなければならない。
【０００５】
この分野では、上述の要求を満たすように設計された構成がいくつかある。典型的な公知の構成は、入れ子式離隔構造によって行なう枠体距離調節を用いるものである。この構成では、油圧シリンダに似たブッシングにおいて摺動するシリンダロッドによってバーが作られている。ロッドとブッシングの精密な係合は、費用のかかる精密製法を必要とし、これは、従来技術で使用する構造では、例えばケーブル製造コストが上昇してしまうことを意味する。
【０００６】
典型的な従来技術構成の例として、米国特許出願公報第2008/0315058 A1号に記載の機構を挙げることができる。この公報に記載の構成は、上述の従来技術の欠点を有している。
【０００７】
本発明の目的は、従来技術の欠点をなくすことのできる装置を得ることである。これは本発明によって達成される。本発明によれば、ロック装置は、内側管の全長の一部にわたって延伸し内側管を複数の管区分に分割する内側管の分割部と、内側管の分割部に拡張力を生成して外側管の内表面へ管区分を押圧する力部材とを含むことを特徴とする。
【０００８】
本発明の利点はその製造コストの低さにあり、したがって本発明を用いれば、総合的に非常に有利である。すなわち本発明によれば、リール装置またはスプーリング装置に関する調節可能な離隔機能を得る経済的な方法が提供される。
【０００９】
次に、添付図面に示す実施例を参照して本発明をより詳細に説明する。
【図面の簡単な説明】
【００１０】
【図１】は、本分野で公知のスプーリング装置の例を示す図である。
【図２】は、本発明の装置の一実施例の正面図である。
【図３】は図２の実施例の上面図である。
【図４】は線Ａに沿った断面図である。
【図５】は図４の細部の拡大図である。
【発明を実施するための形態】
【００１１】
図１は、従来技術の典型的なスプーリング装置を示す。図示のスプーリング装置は、入れ子式離隔梁２によってある水平距離に離隔された２つの側枠体１を含んでいる。入れ子式離隔梁２は、従来技術では先に記載したような油圧シリンダに似たブッシング内を摺動する円柱状ロッドで作られている。図示の構造にも、外側管と内側管の間に位置して外側管および内側管を可調節位置にロックする適切なロック装置が設けられている。図示の構造は、先に述べた従来技術の欠点を有している。
【００１２】
上述のスプーリング装置の構造および動作原理は当業者によく知られているので、ここではその詳細を説明しない。
【００１３】
上述のように本発明は、調節可能な離隔機能を得る経済的な方法、すなわち従来技術で使用される調節可能な離隔梁の高価な構造をなくす経済的な方法を提供する。
【００１４】
図２ないし図５は本発明の一実施例、すなわち本発明の入れ子式離隔梁用装置の一実施例を示す。図２〜図５に示す実施例では、離隔梁２は、角型の２つの管区分、すなわち外側管３および内側管４を含む。この角型管は市販の鋼管から製造され、これらの管は、図２および図３から明瞭に解るような入れ子式装置を形成している。
【００１５】
外側管３は、例えばリール装置の側枠体１へ取り付けるための適切なフランジ５を有する硬い管である。内側管にも、各図に示すように側枠体への取付けに適したフランジが設けられている。
【００１６】
内側管４は、外側管３より断面が小さく、あるクリアランスで内側管４を外側管３の内部に係合させて、図２および図３に示すような入れ子式構造を形成することができる。
【００１７】
本発明の重要な特徴は、ロック装置が内側管４の分割部６を含んでいることである。この分割部６は、図３に示すように、内側管の全長の一部にわたって延伸している。前記分割部６は、内側管４を管区分７、８に分割している。
【００１８】
ロック装置はさらに、内側管４の分割部６に拡張力を生成して管区分７、８を外側管３の内表面に押圧する力部材９を含んでいる。
【００１９】
上述のように内側管４は、ある方法で分割されている。図示の実施例では、内側管４は垂直軸方向に２つの管区分７、８に分割されている。しかし、これが唯一の可能性ではなく、３つ、４つまたはそれ以上の分割管区分でさえ、用いることができる。
【００２０】
図２〜図５に示す実施例は、外側管３および内側管４として角型管を使用している。しかし、本発明は角型管に限定されず、他の管形状を用いることもでき、一例として六角形その他を用いることもできる。
【００２１】
図示の実施例では、力部材９は、拡張可能なバッグまたは拡張可能なホース部材を含む。しかし本発明は、特定のタイプの力部材に限定されない。すなわち、例えば油圧シリンダもしくは電動シリンダまたは楔部材を力部材９として使用することもできる。
【００２２】
図示の実施例は、有利には外側管３の内側に固定された平たいバー10も含み、外側管３の中で内側管４を垂直方向に案内する。有利には、外側管３および内側管４に装着され横方向の案内を行なう案内ロール11もあってよい。案内ロール11は、好ましくはバネ付勢された案内ロールである。
【００２３】
本実施例はさらに、少なくとも内側管４の一部にわたって延伸するバー12を含んでもよい。このバー12は、外側管３の内側隅に係合している。このバー12は、好ましくは半角型棒であるが、注意すべきことは、適切な他の形も使用可能なことである。
【００２４】
拡張可能または加圧バッグ部材９を拡張させると、これによって拡張力が内側管４に加わって内側管の分割部が拡張し、外側管３の内隅に係合されたバー12へ管区分７、８が押圧される。これによって外側管３に対して内側管４を固定またはロックさせる。拡張可能なバッグ部材９は、適切な部材、例えば管13を通って拡張させてもよい。
【００２５】
拡張可能または加圧部材９を収縮させると、拡張力が消失し、内側管４は、外側管３に対して解放され、内側管および外側管の入れ子式動作が可能になる。
【００２６】
これについて注意すべきは、これまで、拡張可能なバッグ部材を力部材９として用いた実施例について本発明の動作を説明したことである。しかし、これが唯一の可能性ではなく、前記拡張力を生成する他の力部材も使用できる。
【００２７】
これまで、相互作用する管を２本用いた実施例について本発明を説明してきた。本発明はこれに限定されず、例えば３本またはそれ以上の相互作用管を用いても、全く問題ない。
【００２８】
上述のように本発明、すなわちその構造および動作を図示の実施例を参照して明らかにしてきた。しかし本発明は、図示の実施例に限定されない。本発明、すなわちさまざまな構成上の詳細、大きさおよび特性は、添付の特許請求の範囲内で自由に変えてもよい。
【図１】
2014531375.tif 000003
【図２】
2014531375.tif 000004
【図３】
2014531375.tif 000005
【図４】
2014531375.tif 000006
【図５】
2014531375.tif 000007
【国際調査報告】
2014531375.tif 000008
2014531375.tif 000009
2014531375.tif 000010
2014531375.tif 000011